Podtech/llm-jp-corpus-v4-ja_patent huggingface dataset:
【手続補正書】
【提出日】令和3年10月22日(2021.10.22)
【手続補正１】
【補正対象書類名】特許請求の範囲
【補正対象項目名】全文
【補正方法】変更
【補正の内容】
【特許請求の範囲】
【請求項１】
電気配線を案内可能な案内経路の少なくとも一部に前記電気配線が通過可能に構成される開放部を有する複数の構成手段と、前記複数の構成手段から前記開放部側へ張り出す複数の張出部とを備え、
前記電気配線は、前記構成手段に対して相対移動可能に構成される移動手段に接続され、
前記張出部は、互いに間隔を空けて配置され、
前記張出部は、前記電気配線が前記案内経路から外れることを防止可能に構成されることを特徴とする遊技機。
【手続補正２】
【補正対象書類名】明細書
【補正対象項目名】０００２
【補正方法】変更
【補正の内容】
【０００２】
電気配線を備える遊技機がある（特許文献１）。
【手続補正３】
【補正対象書類名】明細書
【補正対象項目名】０００４
【補正方法】変更
【補正の内容】
【０００４】
しかしながら、上述した従来の遊技機では、電気配線の配置の観点で改善の余地があるという問題点があった。本発明は、上記例示した問題点を解決するためになされたものであり、電気配線の配置を改善することができる遊技機を提供することを目的とする。
【手続補正４】
【補正対象書類名】明細書
【補正対象項目名】０００５
【補正方法】変更
【補正の内容】
【０００５】
この目的を達成するために請求項１記載の遊技機は、電気配線を案内可能な案内経路の少なくとも一部に前記電気配線が通過可能に構成される開放部を有する複数の構成手段と、前記複数の構成手段から前記開放部側へ張り出す複数の張出部とを備え、前記電気配線は、前記構成手段に対して相対移動可能に構成される移動手段に接続され、前記張出部は、互いに間隔を空けて配置され、前記張出部は、前記電気配線が前記案内経路から外れることを防止可能に構成される。
【手続補正５】
【補正対象書類名】明細書
【補正対象項目名】０００６
【補正方法】削除
【補正の内容】
【手続補正６】
【補正対象書類名】明細書
【補正対象項目名】０００７
【補正方法】削除
【補正の内容】
【手続補正７】
【補正対象書類名】明細書
【補正対象項目名】０００８
【補正方法】変更
【補正の内容】
【０００８】
請求項１記載の遊技機によれば、電気配線の配置を改善することができる。
【手続補正８】
【補正対象書類名】明細書
【補正対象項目名】０００９
【補正方法】削除
【補正の内容】
【手続補正９】
【補正対象書類名】明細書
【補正対象項目名】００１０
【補正方法】削除
【補正の内容】
【手続補正１０】
【補正対象書類名】明細書
【補正対象項目名】１０３５
【補正方法】変更
【補正の内容】
【１０３５】
遊技機Ａ１からＡ７、Ｂ１からＢ１０、Ｃ１からＣ８、Ｄ１からＤ８、Ｅ１からＥ６、Ｆ１からＦ８、Ｇ１からＧ８及びＨ１からＨ７のいずれかにおいて、前記遊技機はパチンコ遊技機とスロットマシンとを融合させたものであることを特徴とする遊技機Ｋ３。中でも、融合させた遊技機の基本構成としては、「複数の識別情報からなる識別情報列を動的表示した後に識別情報を確定表示する可変表示手段を備え、始動用操作手段（例えば操作レバー）の操作に起因して識別情報の変動が開始され、停止用操作手段（例えばストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備え、遊技媒体として球を使用すると共に、前記識別情報の動的表示の開始に際しては所定数の球を必要とし、特別遊技状態の発生に際しては多くの球が払い出されるように構成されている遊技機」となる。
＜その他＞
電気配線の変位を補助する補助部材を備える遊技機がある（特許文献１：特開２０１２−１５７４７４号公報）。
しかしながら、上述した従来の遊技機では、部材個数を削減する観点で改善の余地があるという問題点があった。本技術的思想は、上記例示した問題点を解決するためになされたものであり、部材個数を削減することができる遊技機を提供することを目的とする。
＜手段＞
この目的を達成するために技術的思想１の遊技機は、変位可能に構成される変位手段と、その変位手段に連結される電気配線とを備える遊技機において、前記変位手段が変位する区間は、前記電気配線にかかる負荷を減らすよう変位する区間を含む。
技術的思想２の遊技機は、技術的思想１記載の遊技機において、前記電気配線は、前記変位手段の外方において所定部で位置決めされ、前記変位手段は、前記電気配線が案内される案内部を備え、その案内部と前記所定部との距離の変化を減らすように変位可能に構成される。
技術的思想３の遊技機は、技術的思想１又は２に記載の遊技機において、駆動力を発生させる駆動手段と、その駆動手段の駆動力を前記変位手段へ向けて伝達可能に構成される伝達手段とを備え、前記電気配線は、前記変位手段を基準として前記伝達手段側の反対側に配置される。
＜効果＞
技術的思想１記載の遊技機によれば、部材個数を削減することができる。
技術的思想２記載の遊技機によれば、技術的思想１記載の遊技機の奏する効果に加え、所定部と案内部との位置関係が変化することにより電気配線にかけられる負荷を減らすことができる。
技術的思想３記載の遊技機によれば、技術的思想１又は２に記載の遊技機の奏する効果に加え、電気配線の配置自由度を向上させることができる。
【手続補正書】
【提出日】令和3年10月28日(2021.10.28)
【手続補正１】
【補正対象書類名】特許請求の範囲
【補正対象項目名】全文
【補正方法】変更
【補正の内容】
【特許請求の範囲】
【請求項１】
電気配線を案内可能な案内経路の少なくとも一部に前記電気配線が通過可能に構成される開放部を有する複数の構成手段と、前記複数の構成手段から前記開放部側へ張り出す複数の張出部とを備え、
前記電気配線は、前記構成手段に対して相対移動可能に構成される移動手段に接続され、
前記張出部は、互いに間隔を空けて配置され、
前記張出部は、前記電気配線が前記案内経路から外れることを防止可能に構成され、
前記構成手段は、樹脂材料から構成されることを特徴とする遊技機。
【手続補正２】
【補正対象書類名】明細書
【補正対象項目名】０００２
【補正方法】変更
【補正の内容】
【０００２】
電気配線を備える遊技機がある（特許文献１）。
【手続補正３】
【補正対象書類名】明細書
【補正対象項目名】０００３
【補正方法】変更
【補正の内容】
【０００３】
【特許文献１】特開２０１２−１５７４７４号公報
【手続補正４】
【補正対象書類名】明細書
【補正対象項目名】０００４
【補正方法】変更
【補正の内容】
【０００４】
しかしながら、上述した従来の遊技機では、電気配線の配置の観点で改善の余地があるという問題点があった。本発明は、上記例示した問題点を解決するためになされたものであり、電気配線の配置を改善することができる遊技機を提供することを目的とする。
【手続補正５】
【補正対象書類名】明細書
【補正対象項目名】０００５
【補正方法】変更
【補正の内容】
【０００５】
この目的を達成するために請求項１記載の遊技機は、電気配線を案内可能な案内経路の少なくとも一部に前記電気配線が通過可能に構成される開放部を有する複数の構成手段と、前記複数の構成手段から前記開放部側へ張り出す複数の張出部とを備え、前記電気配線は、前記構成手段に対して相対移動可能に構成される移動手段に接続され、前記張出部は、互いに間隔を空けて配置され、前記張出部は、前記電気配線が前記案内経路から外れることを防止可能に構成され、前記構成手段は、樹脂材料から構成される。
【手続補正６】
【補正対象書類名】明細書
【補正対象項目名】０００６
【補正方法】削除
【補正の内容】
【手続補正７】
【補正対象書類名】明細書
【補正対象項目名】０００７
【補正方法】削除
【補正の内容】
【手続補正８】
【補正対象書類名】明細書
【補正対象項目名】０００８
【補正方法】変更
【補正の内容】
【０００８】
請求項１記載の遊技機によれば、電気配線の配置を改善することができる。
【手続補正９】
【補正対象書類名】明細書
【補正対象項目名】０００９
【補正方法】削除
【補正の内容】
【手続補正１０】
【補正対象書類名】明細書
【補正対象項目名】００１０
【補正方法】削除
【補正の内容】
【手続補正１１】
【補正対象書類名】明細書
【補正対象項目名】１０３５
【補正方法】変更
【補正の内容】
【１０３５】
遊技機Ａ１からＡ７、Ｂ１からＢ１０、Ｃ１からＣ８、Ｄ１からＤ８、Ｅ１からＥ６、Ｆ１からＦ８、Ｇ１からＧ８及びＨ１からＨ７のいずれかにおいて、前記遊技機はパチンコ遊技機とスロットマシンとを融合させたものであることを特徴とする遊技機Ｋ３。中でも、融合させた遊技機の基本構成としては、「複数の識別情報からなる識別情報列を動的表示した後に識別情報を確定表示する可変表示手段を備え、始動用操作手段（例えば操作レバー）の操作に起因して識別情報の変動が開始され、停止用操作手段（例えばストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備え、遊技媒体として球を使用すると共に、前記識別情報の動的表示の開始に際しては所定数の球を必要とし、特別遊技状態の発生に際しては多くの球が払い出されるように構成されている遊技機」となる。
＜その他＞
流路を構成する一対の流路構成部材が、複数組連続して配置されることで長い流路が構成される遊技機がある（特許文献１：特開２０１５−１５９９９７号公報）。
しかしながら、上述した従来の遊技機では、部品管理の観点から改善の余地があるという問題点があった。本技術的思想は、上記例示した問題点を解決するためになされたものであり、部品管理の観点で改善することができる遊技機を提供することを目的とする。
＜手段＞
この目的を達成するために技術的思想１の遊技機は、遊技球が流下可能に構成される流下領域と対向配置される構成部材を備える遊技機において、第１流下領域の一側面を構成する第１構成部材と、前記第１流下領域の他側面を構成する第２構成部材と、第３構成部材とを備え、その第３構成部材は、前記第１構成部材が構成する第２流下領域の一部を構成する。
技術的思想２の遊技機は、技術的思想１記載の遊技機において、前記流下領域の前記一側面の少なくとも一部を構成する一の前記構成部材は、配設部を備え、前記流下領域の前記他側面の少なくとも一部を構成する他の前記構成部材は、前記配設部に当接することで位置決めされる位置決め部を備える。
技術的思想３の遊技機は、技術的思想１又は２に記載の遊技機において、前記第１構成部材に対する前記第２構成部材または前記第３構成部材の配置を調整可能にするための調整手段を備える。
＜効果＞
技術的思想１記載の遊技機によれば、部品管理の観点で改善することができる。
技術的思想２記載の遊技機によれば、技術的思想１記載の遊技機の奏する効果に加え、構成部材を固定するための部品の個数の削減を図ることができる。
技術的思想３記載の遊技機によれば、技術的思想１又は２に記載の遊技機の奏する効果に加え、構成部材の調整自由度を向上させることができる。
【手続補正書】
【提出日】令和3年10月28日(2021.10.28)
【手続補正１】
【補正対象書類名】特許請求の範囲
【補正対象項目名】全文
【補正方法】変更
【補正の内容】
【特許請求の範囲】
【請求項１】
電気配線を案内可能な案内経路の少なくとも一部に前記電気配線が通過可能に構成される開放部を有する複数の構成手段と、前記複数の構成手段から前記開放部側へ張り出す複数の張出部とを備え、
前記電気配線は、前記構成手段に対して相対移動可能に構成される移動手段に接続され、
前記複数の構成手段は、それぞれが前記電気配線と接触し得るよう構成され、
前記張出部は、前記電気配線が前記案内経路から外れることを防止可能に構成され、
前記構成手段は、樹脂材料から構成されることを特徴とする遊技機。
【手続補正２】
【補正対象書類名】明細書
【補正対象項目名】０００２
【補正方法】変更
【補正の内容】
【０００２】
電気配線を備える遊技機がある（特許文献１）。
【手続補正３】
【補正対象書類名】明細書
【補正対象項目名】０００３
【補正方法】変更
【補正の内容】
【０００３】
【特許文献１】特開２０１２−１５７４７４号公報
【手続補正４】
【補正対象書類名】明細書
【補正対象項目名】０００４
【補正方法】変更
【補正の内容】
【０００４】
しかしながら、上述した従来の遊技機では、電気配線の配置の観点で改善の余地があるという問題点があった。本発明は、上記例示した問題点を解決するためになされたものであり、電気配線の配置を改善することができる遊技機を提供することを目的とする。
【手続補正５】
【補正対象書類名】明細書
【補正対象項目名】０００５
【補正方法】変更
【補正の内容】
【０００５】
この目的を達成するために請求項１記載の遊技機は、電気配線を案内可能な案内経路の少なくとも一部に前記電気配線が通過可能に構成される開放部を有する複数の構成手段と、前記複数の構成手段から前記開放部側へ張り出す複数の張出部とを備え、前記電気配線は、前記構成手段に対して相対移動可能に構成される移動手段に接続され、前記複数の構成手段は、それぞれが前記電気配線と接触し得るよう構成され、前記張出部は、前記電気配線が前記案内経路から外れることを防止可能に構成され、前記構成手段は、樹脂材料から構成される。
【手続補正６】
【補正対象書類名】明細書
【補正対象項目名】０００６
【補正方法】削除
【補正の内容】
【手続補正７】
【補正対象書類名】明細書
【補正対象項目名】０００７
【補正方法】削除
【補正の内容】
【手続補正８】
【補正対象書類名】明細書
【補正対象項目名】０００８
【補正方法】変更
【補正の内容】
【０００８】
請求項１記載の遊技機によれば、電気配線の配置を改善することができる。
【手続補正９】
【補正対象書類名】明細書
【補正対象項目名】０００９
【補正方法】削除
【補正の内容】
【手続補正１０】
【補正対象書類名】明細書
【補正対象項目名】００１０
【補正方法】削除
【補正の内容】
【手続補正１１】
【補正対象書類名】明細書
【補正対象項目名】１０３５
【補正方法】変更
【補正の内容】
【１０３５】
遊技機Ａ１からＡ７、Ｂ１からＢ１０、Ｃ１からＣ８、Ｄ１からＤ８、Ｅ１からＥ６、Ｆ１からＦ８、Ｇ１からＧ８及びＨ１からＨ７のいずれかにおいて、前記遊技機はパチンコ遊技機とスロットマシンとを融合させたものであることを特徴とする遊技機Ｋ３。中でも、融合させた遊技機の基本構成としては、「複数の識別情報からなる識別情報列を動的表示した後に識別情報を確定表示する可変表示手段を備え、始動用操作手段（例えば操作レバー）の操作に起因して識別情報の変動が開始され、停止用操作手段（例えばストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備え、遊技媒体として球を使用すると共に、前記識別情報の動的表示の開始に際しては所定数の球を必要とし、特別遊技状態の発生に際しては多くの球が払い出されるように構成されている遊技機」となる。
＜その他＞
内レール部材が遊技領域の左側部において一般入賞口から零れた遊技球の転動面を構成する遊技機がある（特許文献１：特開２０１１−２２９６８６号公報）。
しかしながら、上述した従来の遊技機では、遊技領域を流下する遊技球に注目させることが困難であるという問題点があった。本技術的思想は、上記例示した問題点を解決するためになされたものであり、遊技領域を流下する遊技球に注目させることができる遊技機を提供することを目的とする。
＜手段＞
この目的を達成するために技術的思想１の遊技機は、遊技球が当接可能に構成され、当接している遊技球の流下経路を構成する流下手段を備え、その流下手段は、遊技領域側へ突設される突設部を備える。
技術的思想２の遊技機は、技術的思想１記載の遊技機において、前記突設部は、遊技球が前記流下手段に着地する際に当接する着地範囲の下流側に設けられる。
技術的思想３の遊技機は、技術的思想１又は２に記載の遊技機において、前記突設部は、前記流下手段の上流側から接近する遊技球に対して押し戻す方向に生じさせる反発力に比較して、前記流下手段の下流側から接近する遊技球に対して押し戻す方向に生じさせる反発力の方が大きいように構成される。
＜効果＞
技術的思想１記載の遊技機によれば、遊技領域を流下する遊技球に注目させることができる。
技術的思想２記載の遊技機によれば、技術的思想１記載の遊技機の奏する効果に加え、突設部が破損することを防止することができる。
技術的思想３記載の遊技機によれば、技術的思想１又は２に記載の遊技機の奏する効果に加え、遊技球が当接する側に対応して反発力を変更することができる。
【手続補正書】
【提出日】令和3年10月28日(2021.10.28)
【手続補正１】
【補正対象書類名】特許請求の範囲
【補正対象項目名】全文
【補正方法】変更
【補正の内容】
【特許請求の範囲】
【請求項１】
電気配線を案内可能な案内経路の少なくとも一部に前記電気配線が通過可能に構成される開放部を有する複数の構成手段と、前記複数の構成手段から前記開放部側へ張り出す複数の張出部とを備え、
前記電気配線は、前記構成手段に対して相対移動可能に構成される移動手段に接続され、
前記複数の構成手段は、それぞれが前記電気配線と接触し得るよう構成され、
前記張出部は、互いに間隔を空けて配置され、
前記構成手段は、樹脂材料から構成されることを特徴とする遊技機。
【手続補正２】
【補正対象書類名】明細書
【補正対象項目名】０００２
【補正方法】変更
【補正の内容】
【０００２】
電気配線を備える遊技機がある（特許文献１）。
【手続補正３】
【補正対象書類名】明細書
【補正対象項目名】０００３
【補正方法】変更
【補正の内容】
【０００３】
【特許文献１】特開２０１２−１５７４７４号公報
【手続補正４】
【補正対象書類名】明細書
【補正対象項目名】０００４
【補正方法】変更
【補正の内容】
【０００４】
しかしながら、上述した従来の遊技機では、電気配線の配置の観点で改善の余地があるという問題点があった。本発明は、上記例示した問題点を解決するためになされたものであり、電気配線の配置を改善することができる遊技機を提供することを目的とする。
【手続補正５】
【補正対象書類名】明細書
【補正対象項目名】０００５
【補正方法】変更
【補正の内容】
【０００５】
この目的を達成するために請求項１記載の遊技機は、電気配線を案内可能な案内経路の少なくとも一部に前記電気配線が通過可能に構成される開放部を有する複数の構成手段と、前記複数の構成手段から前記開放部側へ張り出す複数の張出部とを備え、前記電気配線は、前記構成手段に対して相対移動可能に構成される移動手段に接続され、前記複数の構成手段は、それぞれが前記電気配線と接触し得るよう構成され、前記張出部は、互いに間隔を空けて配置され、前記構成手段は、樹脂材料から構成される。
【手続補正６】
【補正対象書類名】明細書
【補正対象項目名】０００６
【補正方法】削除
【補正の内容】
【手続補正７】
【補正対象書類名】明細書
【補正対象項目名】０００７
【補正方法】削除
【補正の内容】
【手続補正８】
【補正対象書類名】明細書
【補正対象項目名】０００８
【補正方法】変更
【補正の内容】
【０００８】
請求項１記載の遊技機によれば、電気配線の配置を改善することができる。
【手続補正９】
【補正対象書類名】明細書
【補正対象項目名】０００９
【補正方法】削除
【補正の内容】
【手続補正１０】
【補正対象書類名】明細書
【補正対象項目名】００１０
【補正方法】削除
【補正の内容】
【手続補正１１】
【補正対象書類名】明細書
【補正対象項目名】１０３５
【補正方法】変更
【補正の内容】
【１０３５】
遊技機Ａ１からＡ７、Ｂ１からＢ１０、Ｃ１からＣ８、Ｄ１からＤ８、Ｅ１からＥ６、Ｆ１からＦ８、Ｇ１からＧ８及びＨ１からＨ７のいずれかにおいて、前記遊技機はパチンコ遊技機とスロットマシンとを融合させたものであることを特徴とする遊技機Ｋ３。中でも、融合させた遊技機の基本構成としては、「複数の識別情報からなる識別情報列を動的表示した後に識別情報を確定表示する可変表示手段を備え、始動用操作手段（例えば操作レバー）の操作に起因して識別情報の変動が開始され、停止用操作手段（例えばストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備え、遊技媒体として球を使用すると共に、前記識別情報の動的表示の開始に際しては所定数の球を必要とし、特別遊技状態の発生に際しては多くの球が払い出されるように構成されている遊技機」となる。
＜その他＞
遊技盤の正面側に張り出して配設される張出配設部を備える遊技機がある（特許文献１：特開２００６−３３３８８７号公報）。
しかしながら、上述した従来の遊技機では、演出効果が低くなり易いという問題点があった。本技術的思想は、上記例示した問題点を解決するためになされたものであり、演出効果を高くすることができる遊技機を提供することを目的とする。
＜手段＞
この目的を達成するために技術的思想１の遊技機は、第１方向視で視認可能に構成され、遊技球が通過可能に構成される所定領域と、前記第１方向視における前記所定領域の視認態様を変化させる所定手段とを備える。
技術的思想２の遊技機は、技術的思想１記載の遊技機において、正面側に遊技球を流下可能に構成される遊技盤を備え、前記遊技盤は、前記所定領域の少なくとも一部と重なるように開口形成される開口を備える。
技術的思想３の遊技機は、技術的思想２記載の遊技機において、前記所定手段は、遊技球の転動面を構成する。
＜効果＞
技術的思想１記載の遊技機によれば、演出効果を高くすることができる。
技術的思想２記載の遊技機によれば、技術的思想１記載の遊技機の奏する効果に加え、開口により、演出効果の向上を図ることができる。
技術的思想３記載の遊技機によれば、技術的思想２記載の遊技機の奏する効果に加え、遊技球を利用した演出効果の向上を図ることができる。
【手続補正書】
【提出日】令和3年3月15日(2021.3.15)
【手続補正１】
【補正対象書類名】特許請求の範囲
【補正対象項目名】全文
【補正方法】変更
【補正の内容】
【特許請求の範囲】
【請求項１】
造影剤、ガイドワイヤ、及び、ステントの少なくとも一つが挿入された被写体を透過した互いに異なる放射線エネルギーによる複数の画像を取得する取得手段と、
前記複数の画像を用いてエネルギーサブトラクション処理を行い、エネルギーサブトラクション画像を生成する第１の生成手段と、
過去に生成された複数のエネルギーサブトラクション画像に基づくマスク画像と現在のエネルギーサブトラクション画像に基づくライブ画像との差分画像を生成する第２の生成手段と、を備えることを特徴とする撮影制御装置。
【請求項２】
前記取得手段は、１ショット間にエネルギーが変化する放射線が被写体に照射され、当該１ショット間に前記被写体を透過した前記放射線を複数回検出して得られた、互いに異なるエネルギーを有する前記複数の画像を取得することを特徴とする請求項１に記載の撮影制御装置。
【請求項３】
前記取得手段は、連続する２つのリセットに挟まれた期間に、１つの二次元検出器において少なくとも２回のサンプリングを行うことにより、前記複数の画像を１フレームの撮影期間において取得することを特徴とする請求項１に記載の撮影制御装置。
【請求項４】
前記第１の生成手段は、前記複数の画像を用いてエネルギーサブトラクション処理を行って、第１の物質の厚さに関わる第１のエネルギーサブトラクション画像と、前記第１の物質とは異なる第２の物質の厚さに関わる第２のエネルギーサブトラクション画像を生成し、
前記第２の生成手段は、前記第１のエネルギーサブトラクション画像を用いて前記差分画像を生成することを特徴とする請求項１乃至３のいずれか１項に記載の撮影制御装置。
【請求項５】
前記第１の物質は骨であり、前記第２の物質は軟部組織であることを特徴とする請求項４に記載の撮影制御装置。
【請求項６】
前記第１の生成手段は、前記複数の画像についてエネルギーサブトラクション処理を行って、実効原子番号の画像と面密度の画像を前記エネルギーサブトラクション画像として取得し、
前記第２の生成手段は、前記実効原子番号の画像を用いて前記差分画像を生成することを特徴とする請求項１乃至３のいずれか１項に記載の撮影制御装置。
【請求項７】
前記第１の生成手段は、前記複数の画像を用いてエネルギーサブトラクション処理を行って、実効原子番号の画像と面密度の画像を前記エネルギーサブトラクション画像として取得し、
前記第２の生成手段は、前記実効原子番号の画像と面密度の画像を用いて前記差分画像を生成することを特徴とする請求項１または２に記載の撮影制御装置。
【請求項８】
前記第２の生成手段は、前記実効原子番号の画像と前記面密度の画像に基づいて生成されたマスク画像をそれぞれＺＭ、ＤＭとし、前記実効原子番号の画像と前記面密度の画像に基づいて生成されたライブ画像をそれぞれＺＬ、ＤＬとした場合に、面密度の差分画像であるＤＤＳＡと実行原子番号の差分画像であるＺＤＳＡを、
2019162359.tif 000001
（ただし、ｎは２．５以上、３以下の実数）
により生成することを特徴とする請求項７に記載の撮影制御装置。
【請求項９】
前記第２の生成手段は、過去に生成された前記複数のエネルギーサブトラクション画像の画素ごとの画素値の統計量を計算し、前記マスク画像の画素値とすることを特徴とする請求項１乃至８のいずれか１項に記載の撮影制御装置。
【請求項１０】
前記統計量は、最小値、最大値、平均値、中央値のいずれかであることを特徴とする請求項９に記載の撮影制御装置。
【請求項１１】
前記第２の生成手段は、過去に生成された前記複数のエネルギーサブトラクション画像に基づいて、画素ごとに異常値を除去することで前記マスク画像を生成することを特徴とする請求項１乃至８のいずれか１項に記載の撮影制御装置。
【請求項１２】
前記第２の生成手段は、過去に生成された前記複数のエネルギーサブトラクション画像についてリカーシブフィルタを適用することで前記マスク画像を生成することを特徴とする請求項１乃至８のいずれか１項に記載の撮影制御装置。
【請求項１３】
前記複数の画像は、第１の放射線エネルギーによる第１の画像と前記第１の放射線エネルギーとは異なる第２の放射線エネルギーによる第２の画像を含み、
前記第１の生成手段は、前記エネルギーサブトラクション画像を構成する画素の値の変化により生じる減弱率の変化を考慮して、前記第１の画像と前記第２の画像から前記エネルギーサブトラクション画像を生成することを特徴とする請求項１乃至１２のいずれか１項に記載の撮影制御装置。
【請求項１４】
前記第１の生成手段は、前記第１の画像と前記第２の画像が示す減弱率の組合せに応じて、前記エネルギーサブトラクション画像における画素の値が登録された２次元のテーブルを参照することを特徴とする請求項１３に記載の撮影制御装置。
【請求項１５】
放射線撮影装置のための撮影制御方法であって、
造影剤、ガイドワイヤ、及び、ステントの少なくとも一つが挿入された被写体を透過した互いに異なる放射線エネルギーによる複数の画像を取得する取得工程と、
前記複数の画像を用いてエネルギーサブトラクション処理を行い、エネルギーサブトラクション画像を生成する第１の生成工程と、
過去に生成された複数のエネルギーサブトラクション画像に基づくマスク画像と現在のエネルギーサブトラクション画像に基づくライブ画像との差分画像を生成する第２の生成工程と、を備えることを特徴とする撮影制御方法。
【請求項１６】
請求項１乃至１４のいずれか１項に記載された撮影制御装置と、
二次元検出器を含む放射線撮影装置と、
放射線を発生する放射線発生装置と、を備えることを特徴とする放射線撮影システム。
【請求項１７】
請求項１５に記載された撮影制御方法の各工程をコンピュータに実行させるためのプログラム。
【手続補正２】
【補正対象書類名】明細書
【補正対象項目名】０００８
【補正方法】変更
【補正の内容】
【０００８】
本発明の一態様による放射線撮影装置は以下の構成を備える。すなわち、
造影剤、ガイドワイヤ、及び、ステントの少なくとも一つが挿入された被写体を透過した互いに異なる放射線エネルギーによる複数の画像を取得する取得手段と、
前記複数の画像を用いてエネルギーサブトラクション処理を行い、エネルギーサブトラクション画像を生成する第１の生成手段と、
過去に生成された複数のエネルギーサブトラクション画像に基づくマスク画像と現在のエネルギーサブトラクション画像に基づくライブ画像との差分画像を生成する第２の生成手段と、を備える。
【手続補正書】
【提出日】令和3年3月19日(2021.3.19)
【手続補正１】
【補正対象書類名】特許請求の範囲
【補正対象項目名】全文
【補正方法】変更
【補正の内容】
【特許請求の範囲】
【請求項１】
遊技の進行を制御する進行制御手段と、
所定動作手段と、
前記進行制御手段から送信される指示情報に基づいて前記所定動作手段の動作を制御する所定動作制御手段と、
動作電力の供給が開始された場合に前記所定動作手段に初期動作を行わせる初期動作制御手段と、
を備え、
前記進行制御手段は、動作電力の供給が開始された場合に動作電力の供給開始時の処理を実行するものであって、前記動作電力の供給開始時の処理の実行内容に応じて異なる種類の開始情報を送信するものであることを特徴とする遊技機。
【手続補正２】
【補正対象書類名】明細書
【補正対象項目名】０００７
【補正方法】変更
【補正の内容】
【０００７】
上記課題を解決すべく請求項１記載の発明は、遊技の進行を制御する進行制御手段と、
所定動作手段と、
前記進行制御手段から送信される指示情報に基づいて前記所定動作手段の動作を制御する所定動作制御手段と、
動作電力の供給が開始された場合に前記所定動作手段に初期動作を行わせる初期動作制御手段と、
を備え、
前記進行制御手段は、動作電力の供給が開始された場合に動作電力の供給開始時の処理を実行するものであって、前記動作電力の供給開始時の処理の実行内容に応じて異なる種類の開始情報を送信するものであることを特徴とする。
【手続補正書】
【提出日】令和3年3月18日(2021.3.18)
【手続補正１】
【補正対象書類名】特許請求の範囲
【補正対象項目名】全文
【補正方法】変更
【補正の内容】
【特許請求の範囲】
【請求項１】
遊技球が始動口に入球することに基づいて取得される取得情報を記憶する取得情報記憶手段と、
前記取得情報が当り情報であるか否かの当り判定を行う当り判定手段と、
前記当り判定が行われることに基づいて識別情報を変動表示させ、前記当り判定で前記取得情報が前記当り情報であると判定された場合は、前記識別情報を特定態様で停止表示させる変動表示手段と、
前記識別情報が前記特定態様で停止表示される場合に、可変入球口が入球可能状態となる特定遊技を行う特定遊技実行手段と、
前記取得情報記憶手段に前記取得情報が記憶された際に、当該取得情報が所定の情報であるか否かの事前判定および該事前判定の結果に基づく事前演出を実行可能な事前演出実行手段と、
を備え、
前記事前演出実行手段は、前記事前演出の実行中に所定の期間が開始されるに際しては、当該事前演出を一旦停止し、当該所定の期間の終了後に当該事前演出を再開する
ことを特徴とする遊技機。
【請求項２】
遊技球が始動口に入球することに基づいて取得される取得情報を記憶する取得情報記憶手段と、
前記取得情報が当り情報であるか否かの当り判定を行う当り判定手段と、
前記当り判定が行われることに基づいて識別情報を変動表示させ、前記当り判定で前記取得情報が前記当り情報であると判定された場合は、前記識別情報を特定態様で停止表示させる変動表示手段と、
前記識別情報が前記特定態様で停止表示される場合に、可変入球口が入球可能状態となる特定遊技を行う特定遊技実行手段と、
前記取得情報記憶手段に前記取得情報が記憶された際に、当該取得情報が所定の情報であるか否かの事前判定および該事前判定の結果に基づく事前演出を実行可能な事前演出実行手段と、
を備え、
前記事前演出実行手段は、前記事前演出の実行中に所定の期間が開始されるに際しては、当該事前演出を途中で終了させる
ことを特徴とする遊技機。
【請求項３】
遊技球が始動口に入球することに基づいて取得される取得情報を記憶する取得情報記憶手段と、
前記取得情報が当り情報であるか否かの当り判定を行う当り判定手段と、
前記当り判定が行われることに基づいて識別情報を変動表示させ、前記当り判定で前記取得情報が前記当り情報であると判定された場合は、前記識別情報を特定態様で停止表示させる変動表示手段と、
前記識別情報が前記特定態様で停止表示される場合に、可変入球口が入球可能状態となる特定遊技を行う特定遊技実行手段と、
前記取得情報記憶手段に前記取得情報が記憶された際に、当該取得情報が所定の情報であるか否かの事前判定および該事前判定の結果に基づく事前演出を実行可能な事前演出実行手段と、
を備え、
前記事前演出実行手段は、
所要時間が互いに異なる複数種類の前記事前演出を実行可能であり、
所定の期間の前に前記事前演出を実行する場合は、前記所定の期間の前に終了可能な前記所要時間の前記事前演出を選択して実行する
ことを特徴とする遊技機。
【手続補正２】
【補正対象書類名】明細書
【補正対象項目名】０００８
【補正方法】変更
【補正の内容】
【０００８】
また、本発明の遊技機は、
遊技球が始動口に入球することに基づいて取得される取得情報を記憶する取得情報記憶手段と、
前記取得情報が当り情報であるか否かの当り判定を行う当り判定手段と、
前記当り判定が行われることに基づいて識別情報を変動表示させ、前記当り判定で前記取得情報が前記当り情報であると判定された場合は、前記識別情報を特定態様で停止表示させる変動表示手段と、
前記識別情報が前記特定態様で停止表示される場合に、可変入球口が入球可能状態となる特定遊技を行う特定遊技実行手段と、
前記取得情報記憶手段に前記取得情報が記憶された際に、当該取得情報が所定の情報であるか否かの事前判定および該事前判定の結果に基づく事前演出を実行可能な事前演出実行手段と、
を備え、
前記事前演出実行手段は、前記事前演出の実行中に所定の期間が開始されるに際しては、当該事前演出を途中で終了させる
こととしてもよい。
【手続補正３】
【補正対象書類名】明細書
【補正対象項目名】０００９
【補正方法】変更
【補正の内容】
【０００９】
また、本発明の遊技機は、
遊技球が始動口に入球することに基づいて取得される取得情報を記憶する取得情報記憶手段と、
前記取得情報が当り情報であるか否かの当り判定を行う当り判定手段と、
前記当り判定が行われることに基づいて識別情報を変動表示させ、前記当り判定で前記取得情報が前記当り情報であると判定された場合は、前記識別情報を特定態様で停止表示させる変動表示手段と、
前記識別情報が前記特定態様で停止表示される場合に、可変入球口が入球可能状態となる特定遊技を行う特定遊技実行手段と、
前記取得情報記憶手段に前記取得情報が記憶された際に、当該取得情報が所定の情報であるか否かの事前判定および該事前判定の結果に基づく事前演出を実行可能な事前演出実行手段と、
を備え、
前記事前演出実行手段は、
所要時間が互いに異なる複数種類の前記事前演出を実行可能であり、
所定の期間の前に前記事前演出を実行する場合は、前記所定の期間の前に終了可能な前記所要時間の前記事前演出を選択して実行する
こととしてもよい。
【手続補正４】
【補正対象書類名】明細書
【補正対象項目名】００１０
【補正方法】削除
【補正の内容】
【手続補正書】
【提出日】令和2年11月24日(2020.11.24)
【手続補正１】
【補正対象書類名】特許請求の範囲
【補正対象項目名】全文
【補正方法】変更
【補正の内容】
【特許請求の範囲】
【請求項１】
複数のユーザをそれぞれ一意に識別可能な複数の第１識別情報を記憶する第１サーバ装置及び前記複数のユーザをそれぞれ一意に識別可能な複数の第２識別情報を記憶する第２サーバ装置と通信可能な端末装置に、
第１ユーザの前記第２識別情報を前記第１ユーザの前記第１識別情報に対応付けて記憶させる第１指示を、前記第１サーバ装置へ送信するステップと、
前記第１指示に応じた処理の完了の通知を前記第１サーバ装置から取得するステップと、
前記第１指示に応じた前記処理の完了を表示するステップと、
前記第２サーバ装置において前記第１ユーザに関連付けられた他のユーザの前記第２識別情報を含むリスト情報に第２ユーザの前記第２識別情報が含まれるか否かを判定させ、前記リスト情報に前記第２ユーザの前記第２識別情報が含まれると判定された場合に前記第２ユーザに対応付けられた特典を前記第１ユーザに付与させる第２指示を、前記第１サーバ装置へ送信するステップと、
前記第２指示に応じた処理の完了の通知を前記第１サーバ装置から取得するステップと、
前記第２指示に応じた前記処理の完了を表示するステップと、
を実行させる、プログラム。
【請求項２】
請求項１に記載のプログラムであって、
前記第２ユーザは、所定条件を満たすことにより解消する特定状態のユーザを含む、プログラム。
【請求項３】
請求項２に記載のプログラムであって、
前記端末装置に、
前記第１ユーザが前記特定状態であることを示す情報の公開要求を前記第２サーバ装置へ送信させる第３指示を、前記第１サーバ装置へ送信するステップ
を更に実行させる、プログラム。
【請求項４】
請求項２に記載のプログラムであって、
入力フォームに入力された情報の公開要求を前記第２サーバ装置へ送信可能なアプリケーションを起動するステップと、
前記アプリケーションの前記入力フォームに、前記第１ユーザが前記特定状態であることを示す情報を自動的に入力するステップと、
を更に実行させる、プログラム。
【請求項５】
請求項２に記載のプログラムであって、
前記第１ユーザが前記特定状態であること示す情報の公開要求を前記第２サーバ装置へ送信するステップを更に実行させる、プログラム。
【請求項６】
請求項２から５のいずれか一項に記載のプログラムであって、
ユーザに関連する第１イベントの発生に応じて前記ユーザが前記特定状態になる、プログラム。
【請求項７】
請求項６に記載のプログラムであって、
前記第１イベントは、前記ユーザによってプレイされるゲームにおいて発生するイベントを含む、プログラム。
【請求項８】
請求項１から７のいずれか一項に記載のプログラムであって、
前記第２指示を送信する前記ステップは、前記端末装置が実行するゲームにおける第２イベントの発生に応じて実行される、プログラム。
【請求項９】
請求項８に記載のプログラムであって、
前記第２イベントは、前記ゲームにおいて所定の画面に遷移するイベントを含む、プログラム。
【請求項１０】
請求項１から９のいずれか一項に記載のプログラムであって、
前記第２指示の送信は、前記第２指示が前回送信されてから所定時間以上経過している場合に実施される、プログラム。
【請求項１１】
請求項１から１０のいずれか一項に記載のプログラムであって、
前記端末装置に、
前記端末装置が実行するゲームにおいて前記特典に応じたゲーム機能を有効化するステップ
を更に実行させる、プログラム。
【請求項１２】
請求項１１に記載のプログラムであって、
前記端末装置に、
有効化された前記ゲーム機能を、時間経過及び前記ゲーム機能に対応するゲーム処理の実行回数の少なくとも一方に応じて無効化するステップを更に実行させる、プログラム。
【請求項１３】
請求項１１又は１２に記載のプログラムであって、
有効であるゲーム機能が同時に存在可能な上限数が定められる、プログラム。
【請求項１４】
請求項１１から１３のいずれか一項に記載のプログラムであって、
前記端末装置に、
有効であるゲーム機能毎に対応する第２ユーザを選択可能に表示するステップと、
選択された前記第２ユーザを、前記端末装置が実行する前記ゲームにおいて前記第１ユーザに関連付けさせる第４指示を、前記第１サーバ装置へ送信するステップと、
を更に実行させる、プログラム。
【請求項１５】
複数のユーザをそれぞれ一意に識別可能な複数の第１識別情報を記憶する第１サーバ装置及び前記複数のユーザをそれぞれ一意に識別可能な複数の第２識別情報を記憶する第２サーバ装置と通信可能な通信部と、表示部と、制御部と、を備え、
前記制御部は、
第１ユーザの前記第２識別情報を前記第１ユーザの前記第１識別情報に対応付けて記憶させる第１指示を、前記第１サーバ装置へ送信し、
前記第１指示に応じた処理の完了の通知を前記第１サーバ装置から取得し、
前記第１指示に応じた前記処理の完了を前記表示部に表示し、
前記第２サーバ装置において前記第１ユーザに関連付けられた他のユーザの前記第２識別情報を含むリスト情報に第２ユーザの前記第２識別情報が含まれか否かを判定させ、前記リスト情報に前記第２ユーザの前記第２識別情報が含まれると判定された場合に前記第２ユーザに対応付けられた特典を前記第１ユーザに付与させる第２指示を、前記第１サーバ装置へ送信し、
前記第２指示に応じた処理の完了の通知を前記第１サーバ装置から取得し、
前記第２指示に応じた前記処理の完了を前記表示部に表示する、端末装置。
【請求項１６】
複数のユーザをそれぞれ一意に識別可能な複数の第１識別情報を記憶する第１サーバ装置と、
前記第１サーバ装置及び前記複数のユーザをそれぞれ一意に識別可能な複数の第２識別情報を記憶する第２サーバ装置と通信可能な端末装置と、
を備え、
前記端末装置は、第１指示を前記第１サーバ装置へ送信し、
前記第１サーバ装置は、前記端末装置からの前記第１指示に応じて、第１ユーザの前記第２識別情報を前記第１ユーザの前記第１識別情報に対応付けて記憶し、
前記端末装置は、第２指示を前記第１サーバ装置へ送信し、
前記第１サーバ装置は、前記端末装置からの前記第２指示に応じて、前記第２サーバ装置において前記第１ユーザに関連付けられた他のユーザの前記第２識別情報を含むリスト情報に第２ユーザの前記第２識別情報が含まれるか否かを判定し、前記リスト情報に前記第２ユーザの前記第２識別情報が含まれると判定された場合に、前記第２ユーザに対応付けられた特典を前記第１ユーザに付与する、情報処理システム。
【手続補正書】
【提出日】令和2年11月24日(2020.11.24)
【手続補正１】
【補正対象書類名】特許請求の範囲
【補正対象項目名】全文
【補正方法】変更
【補正の内容】
【特許請求の範囲】
【請求項１】
１又は複数のコンピュータプロセッサを備え、対象物の共同使用を支援するためのシステムであって、
前記１又は複数のコンピュータプロセッサは、読取可能な命令の実行に応じて、
複数の所有者の各々と複数の利用者の各々との間で行われる、所有者が所有する対象物を利用者が使用するための取引を管理する処理と、
利用者に対して特典を付与する処理と、を実行し、
前記特典を付与する処理は、特定の所有者が所有する対象物を使用した複数の過去の利用者を前記特定の所有者に提示し、提示した前記複数の過去の利用者の中から前記特定の所有者によって特定された対象の利用者に対して、前記特定の所有者が所有する対象物の使用のために適用可能な特定の特典を付与することを含む、
システム。
【請求項２】
前記特典を付与する処理は、第１の画面を介して前記複数の過去の利用者を前記特定の所有者に提示することを含み、
前記第１の画面は、前記複数の過去の利用者の各々に対する前記特典の付与状況を表示するように構成されている、
請求項１のシステム。
【請求項３】
前記対象物は、車両、又は、住居を含む、
請求項１又は２のシステム。
【請求項４】
前記特典は、対象物の使用料金に対する割引を含む、
請求項１ないし３何れかのシステム。
【請求項５】
前記取引を管理する処理は、所有者による利用者に対する第１の評価を受け付けることを含み、
前記特典を付与する処理は、前記特定の所有者が所有する対象物を使用した特定の利用者に対する前記特定の所有者による前記第１の評価の受付に伴って、前記特定の利用者に対して前記特定の特典を付与するための第２の画面を前記特定の所有者に提示することを含む、
請求項１ないし４何れかのシステム。
【請求項６】
前記特典を付与する処理は、前記特定の利用者に対する前記特定の所有者による前記第１の評価が第１の範囲内である場合には前記第２の画面を前記特定の所有者に提示する一方、前記特定の利用者に対する前記特定の所有者による前記第１の評価が前記第１の範囲外である場合には前記第２の画面を前記特定の所有者に提示しないことを含む、
請求項５のシステム。
【請求項７】
前記取引を管理する処理は、所有者による利用者に対する第１の評価を受け付けることを含み、
前記特典を付与する処理は、前記特定の所有者が所有する対象物を使用した複数の過去の利用者のうち、前記特定の所有者による前記第１の評価が第１の範囲内である利用者を前記対象の利用者として前記特定の特典を自動的に付与することを含む、
請求項１ないし４何れかのシステム。
【請求項８】
前記第１の評価は、利用者に公開されるように構成されており、
前記取引を管理する処理は、所有者による利用者に対する評価であって利用者に公開されない第２の評価を受け付けることを含み、
前記特典を付与する処理は、前記特定の所有者による前記第１の評価が第１の範囲内であり、且つ、前記特定の所有者による前記第２の評価が第２の範囲内である利用者を前記対象の利用者として前記特定の特典を自動的に付与することを含む、
請求項７のシステム。
【請求項９】
前記特典を付与する処理は、前記特定の特典の付与に応じて、前記対象の利用者に対して所定のメッセージを送信することを含み、
前記取引を管理する処理は、前記対象の利用者による前記所定のメッセージを介した要求に応答して、前記特定の所有者が所有する対象物の使用の申込を行うための画面を前記対象の利用者に提示することを含む、
請求項１ないし８何れかのシステム。
【請求項１０】
１又は複数のコンピュータによって実行され、対象物の共同使用を支援するための方法であって、
複数の所有者の各々と複数の利用者の各々との間で行われる、所有者が所有する対象物を利用者が使用するための取引を管理するステップと、
利用者に対して特典を付与するステップと、を備え、
前記特典を付与するステップは、特定の所有者が所有する対象物を使用した複数の過去の利用者を前記特定の所有者に提示し、提示した前記複数の過去の利用者の中から前記特定の所有者によって特定された対象の利用者に対して、前記特定の所有者が所有する対象物の使用のために適用可能な特定の特典を付与することを含む、
方法。
【請求項１１】
対象物の共同使用を支援するためのプログラムであって、
１又は複数のコンピュータ上での実行に応じて、前記１又は複数のコンピュータに、
複数の所有者の各々と複数の利用者の各々との間で行われる、所有者が所有する対象物を利用者が使用するための取引を管理する処理と、
利用者に対して特典を付与する処理と、を実行させ、
前記特典を付与する処理は、特定の所有者が所有する対象物を使用した複数の過去の利用者を前記特定の所有者に提示し、提示した前記複数の過去の利用者の中から前記特定の所有者によって特定された対象の利用者に対して、前記特定の所有者が所有する対象物の使用のために適用可能な特定の特典を付与することを含む、
プログラム。
【手続補正書】
【提出日】令和3年8月10日(2021.8.10)
【手続補正１】
【補正対象書類名】特許請求の範囲
【補正対象項目名】全文
【補正方法】変更
【補正の内容】
【特許請求の範囲】
【請求項１】
スイッチ素子、及び前記スイッチ素子と連結され、相変化物質を有する情報格納素子を有するメモリセルを複数含むメモリセルアレイと、
前記メモリセルに第１読み出し電流を入力して第１読み出し電圧を検出し、前記メモリセルに第２読み出し電流を入力して第２読み出し電圧を検出し、前記第１読み出し電圧を用いて判断した前記メモリセルの第１状態が、前記第２読み出し電圧を用いて判断した前記メモリセルの第２状態と互いに異なると、前記第２読み出し電圧を検出した後に、前記情報格納素子の抵抗値を低くする補償電流を前記メモリセルに入力するメモリコントローラと、を含むメモリ装置。
【請求項２】
前記メモリコントローラは、前記第１状態がセット状態であり、前記第２状態がリセット状態であると、前記補償電流を前記メモリセルに入力する、請求項１に記載のメモリ装置。
【請求項３】
前記メモリコントローラは、前記補償電流を入力する前記メモリセルの状態を前記セット状態であると判断する、請求項２に記載のメモリ装置。
【請求項４】
前記メモリコントローラは、前記第１読み出し電圧と前記第２読み出し電圧との差に基づいて、前記補償電流の大きさ及び前記補償電流の入力時間のうち少なくとも一つを調節する、請求項１に記載のメモリ装置。
【請求項５】
前記補償電流の入力時間は、前記第１読み出し電流及び前記第２読み出し電流のそれぞれの入力時間より長い、請求項４に記載のメモリ装置。
【請求項６】
前記メモリコントローラは、前記第１状態と前記第２状態とが同一であり、前記第２読み出し電圧と前記第１読み出し電圧との差が所定の基準値より大きいと、前記補償電流を前記メモリセルに入力する、請求項１に記載のメモリ装置。
【請求項７】
スイッチ素子、及び前記スイッチ素子と連結され、相変化物質を有する情報格納素子を有するメモリセルを複数含むメモリセルアレイと、
前記メモリセルに読み出し電流を入力して第１読み出し電圧及び第２読み出し電圧を一回の読み出し動作の間に順次に検出し、前記第１読み出し電圧に基づいて前記メモリセルがセット状態であると判断され、前記第２読み出し電圧に基づいて前記メモリセルがリセット状態であると判断されると、前記メモリセルを前記セット状態に設定する補償電流を前記メモリセルに入力するメモリコントローラと、を含むメモリ装置。
【請求項８】
セット状態及びリセット状態のいずれか一つの状態を有する複数のメモリセルを有するメモリセルアレイと、
前記メモリセルアレイに対する読み出し動作を行う間に、前記複数のメモリセルの中から前記セット状態を有する第１メモリセルを選択し、前記第１メモリセルの中から前記リセット状態に転換された第２メモリセルを選択し、前記第２メモリセルを前記セット状態に設定する補償電流を前記第２メモリセルに入力するメモリコントローラと、を含むメモリ装置。
【請求項９】
前記メモリコントローラは、前記複数のメモリセルに読み出し電流が入力される間に、前記第１メモリセルを選択するための１次センシングと、前記第２メモリセルを選択するための２次センシングを順次に行う、請求項８に記載のメモリ装置。
【請求項１０】
前記メモリコントローラは、前記読み出し電流のデベロップ区間の間に、前記１次センシング及び前記２次センシングを順次に行う、請求項９に記載のメモリ装置。
【手続補正書】
【提出日】令和2年12月1日(2020.12.1)
【手続補正１】
【補正対象書類名】特許請求の範囲
【補正対象項目名】請求項１
【補正方法】変更
【補正の内容】
【請求項１】
被検体内に挿入されて先端から当該被検体内の被写体像を取り込む内視鏡の接眼部に着脱自在に接続され、当該内視鏡にて取り込まれた被写体像を撮像する撮像装置と、
前記撮像装置にて撮像された撮像画像内の前記被写体像の大きさを判別する被写体像判別部と、
前記撮像画像内に前記被写体像判別部の判別結果に基づいて所定の面積の検波領域を設定する検波領域設定部と、
前記撮像画像内に設定された前記検波領域内の画像に基づいて、当該画像の評価値を算出するための検波処理を実行する検波処理部と備える
ことを特徴とする内視鏡システム。
【手続補正２】
【補正対象書類名】特許請求の範囲
【補正対象項目名】請求項１０
【補正方法】変更
【補正の内容】
【請求項１０】
前記検波領域設定部は、
前記被写体像判別部の判別結果に基づいて、前記被写体像に対して前記検波領域の占める割合が同一となるように、当該検波領域の面積を変更する
ことを特徴とする請求項１〜９のいずれか一つに記載の内視鏡システム。
【手続補正３】
【補正対象書類名】明細書
【補正対象項目名】０００８
【補正方法】変更
【補正の内容】
【０００８】
上述した課題を解決し、目的を達成するために、本発明に係る内視鏡システムは、被検体内に挿入されて先端から当該被検体内の被写体像を取り込む内視鏡の接眼部に着脱自在に接続され、当該内視鏡にて取り込まれた被写体像を撮像する撮像装置と、前記撮像装置にて撮像された撮像画像内の前記被写体像の大きさを判別する被写体像判別部と、前記撮像画像内に前記被写体像判別部の判別結果に基づいて所定の面積の検波領域を設定する検波領域設定部と、前記撮像画像内に設定された前記検波領域内の画像に基づいて、当該画像の評価値を算出するための検波処理を実行する検波処理部と備えることを特徴とする。
【手続補正４】
【補正対象書類名】明細書
【補正対象項目名】００１７
【補正方法】変更
【補正の内容】
【００１７】
また、本発明に係る内視鏡システムでは、上記発明において、前記検波領域設定部は、前記被写体像判別部の判別結果に基づいて、前記被写体像に対して前記検波領域の占める割合が同一となるように、当該検波領域の面積を変更することを特徴とする。